(57)【要約】  各々が製品を収容している、互いに別個の少なくとも二つの容器に再分割されるマルチ・パックの製造方法であって、第一の製品を収容している少なくとも一つの容器を持つ第一のパック部材に第一の処理プロセスを施し、事前または事後のいずれかで密封し、第二の製品を収容している少なくとも一つの容器を持つ第二のパック部材に、第一の処理プロセスと異なる第二の処理プロセスを施し、事前または事後のいずれかで密封し、これら二つのパック部材を一つのユニットに組み立ててマルチ・パックを形成する各工程を有してなる方法。
2005515944.tif 000002
【特許請求の範囲】
【請求項１】
各々が製品を収容している、互いに別個の少なくとも二つの容器に再分割されるマルチ・パック（１０）の製造方法であって、第一のプロセスが施される少なくとも一つの第一の製品を収容するための少なくとも一つの容器（２ａ）を持つ第一のパック部材（２）に該少なくとも一つの第一の製品を充填する第一の工程、第一のプロセスとは異なる第二のプロセスが施される少なくとも一つの第二の製品を収容するための少なくとも一つの容器（６ａ）を持つ第二のパック部材（６）に該少なくとも一つの第二の製品を充填する第二の工程、および前記二つのパック部材（２，６）を一つのユニットに組み立てて、前記マルチ・パック（１０）を形成し、取外し可能か不可能に互いに接合する（７）第三の工程を有してなり、前記パック部材の容器（２ａ，６ａ）を第三の工程の前または後に密封することを特徴とする方法。
【請求項２】
前記第一のプロセスが、少なくとも一つのプロセス特徴または少なくとも一つのプロセスパラメータ、特に、殺菌状態、温度または温度推移、圧力または圧力推移、任意の照射線（可視光または非可視光、高エネルギー電磁放射線）の強度、添加剤のブレンド、取扱工程、または移送速度に関して第二のプロセスと異なっていることを特徴とする請求項１記載の方法。
【請求項３】
前記プロセスの少なくとも一つが、保存または殺菌プロセスを含んでいることを特徴とする請求項１または２記載の方法。
【請求項４】
前記パック部材（２，６）の少なくとも一つの容器を、関連するプロセスの完了前に密封する（４，８）ことを特徴とする請求項１から３いずれか１項記載の方法。
【請求項５】
前記関連する容器を、前記保存または殺菌プロセス中に拡散に対して気密であるように密封することを特徴とする請求項３または４記載の方法。
【請求項６】
前記パック部材（２，６）の少なくとも一つの容器を密封フイルム（４，８）で密封することを特徴とする請求項１から５いずれか１項記載の方法。
【請求項７】
前記二つのパック部材（２，６）が各々一つの容器を有することを特徴とする請求項１から６いずれか１項記載の方法。
【請求項８】
前記パック部材（２，６）を、互いに係合させる、および／または接着する、および／または溶着することを特徴とする請求項１から７いずれか１項記載の方法。
【請求項９】
前記マルチ・パック（１０）を、前記パック部材（２，６）を互いに接合した後に密封し、密閉フイルム（９）により前記パック部材全てを覆うことを特徴とする請求項１から８いずれか１項記載の方法。
【請求項１０】
前記密閉フイルム（９）が同時に、前記パック部材（２，６）の一方を密封する手段として働くことを特徴とする請求項９記載の方法。
【請求項１１】
前記パック部材（２，６）の少なくとも一つ、好ましくは全てを密封フイルム（４，８）で密封し、前記密閉フイルム（９）を、前記パック部材（２，６）の密封フイルム（４，８）と一緒に封止し、したがって、前記密閉フイルム（９）を開封したときに、前記パック部材全ての密封フイルム（４，８）が一回の工程で開封できることを特徴とする請求項９または１０記載の方法。
【請求項１２】
請求項１から１１いずれか１項記載の方法により製造された、各々が製品を収容している、互いに別個の少なくとも二つの容器を持つマルチ・パック。
【請求項１３】
第二のパック部材（６）が、第一の特にボール形状のパック部材（２）のための収容部（５）を持つボール・パックとして設計されていることを特徴とする請求項１２記載のマルチ・パック。
【請求項１４】
前記第二のパック部材（６）が、自由に選択した形状、特に、円形、多角形または実質的に矩形であり、その中に配置すべき、自由に選択した形状、特に、円形、多角形または実質的に矩形の第一のパック部材（２）を収容するように、自由に選択した形状、特に、円形、多角形または実質的に矩形の収容開口部（５）を有することを特徴とする請求項１３記載のマルチ・パック。
【請求項１５】
前記容器が、１：１から１：１０、特に、１：４の容積比を有することを特徴とする請求項１２から１４いずれか１項記載のマルチ・パック。
【発明の詳細な説明】
【技術分野】
【０００１】
本発明は、各々が製品を収容している、互いに別個の少なくとも二つの容器に再分割されるマルチ・パックの製造方法に関する。本発明はさらに、各々が製品を収容している、互いに別個の少なくとも二つの容器を持つ、本発明の方法により製造されたマルチ・パックに関する。
【背景技術】
【０００２】
例えば、複数の区画または容器に再分割されるボールの形態にある従来のマルチ・パックにおいて、それらの区画に異なる製品が充填されているときに、異なる製品のそれぞれの性質のために、それら製品が基本的に異なる製造プロセスまたは処理プロセスに施される、または個々の製品が一つの同じマルチ・ボールまたはマルチ・パック内に入れられているという事実のために難しいかまたは不可能であるかもしれないが他の何かの様式でそれら製品を異なって処理または取り扱わなければならない場合、製造方法により問題が生じる。これまで、異なる製品は均一に、それゆえ、理想的ではなく処理され、そのため、例えば、既成の食品を収容しているマルチ・パックの場合、野菜や肉などの異なる成分は、同じ時間だけ、それゆえ、理想的ではなく調理されることが容認されてきた。
【発明の開示】
【発明が解決しようとする課題】
【０００３】
本発明の目的は、上述した問題を克服できるマルチ・パックの製造方法を提供することにある。
【課題を解決するための手段】
【０００４】
本発明によれば、この目的は、各々が製品を収容している、互いに別個の少なくとも二つの容器に再分割されるマルチ・パックの製造方法であって、第一のプロセスが施される少なくとも一つの第一の製品を収容するための少なくとも一つの容器を持つ第一のパック部材に少なくとも一つの第一の製品を充填する第一の工程、第一のプロセスとは異なる第二のプロセスが施される第二の製品を収容するための少なくとも一つの容器を持つ第二のパック部材に少なくとも一つの第二の製品を充填する第二の工程、および二つのパック部材を一つのユニットに組み立てて、マルチ・パックを形成し、取外し可能か不可能に互いに接合する第三の工程を有してなり、パック部材の容器を第三の工程の前または後に密封する方法により達成される。
【０００５】
第一のプロセスは、少なくとも一つのプロセス特徴または少なくとも一つのプロセスパラメータ、特に、殺菌状態、温度または温度推移、圧力または圧力推移、任意の照射線（可視光または非可視光、高エネルギー電磁放射線）の強度、添加剤のブレンド、取扱工程、または移送速度に関して第二のプロセスと異なっていることが都合よい。
【０００６】
少なくとも一つのプロセスが保存または殺菌プロセスを含んで差し支えない。
【０００７】
パック部材の少なくとも一つの容器を、関連するプロセスの完了前に密封することが好ましい。
【０００８】
関連する容器を、保存工程または殺菌工程の最中に拡散しないように気密に密封することが好ましい。
【０００９】
パック部材の少なくとも一つの容器を密閉フイルムで密封して差し支えない。
【００１０】
第二の適切な実施の形態において、二つのパック部材に各々一つの容器が設けられている。
【００１１】
本発明のさらに別の発展型において、パック部材を互いに係合させる、および／または互いに接着する、および／または互いに溶着させても差し支えない。
【００１２】
パック部材を互いに接合した後に、密閉フイルムでパック部材の全てを覆うようにマルチ・パックを密封することが好ましい。このプロセスにおいて、同時に、密閉フイルムに、パック部材の一つを密封する手段として機能させても差し支えない。この点に関して、特に、パック部材の少なくとも一つ、好ましくは、全てを密封フイルムで密封し、密閉フイルムをパック部材の密封フイルムと封止し、したがって、密閉フイルムを開封したときに、パック部材全ての密閉フイルムを一つの工程で開封することができる。
【００１３】
本発明の目的はさらに、各々が製品を収容している、互いに別個の少なくとも二つの容器を持つ、本発明の方法により製造されたマルチ・パックにより達成され、特に、第二のパック部材を、第一の特にボール形のパック部材のための収容部を持つボール・パックとして設計することができる。この点に関して、第二のパック部材に、自由に選択した形状、特に、円形、多角形または実質的に矩形を持たせ、その中に配置すべき、自由に選択した形状、特に、円形、多角形または実質的に矩形の第一のパック部材を収容するように、自由に選択した形状、特に、円形、多角形または実質的に矩形の収容開口部を持たせることができる。
【００１４】
前記容器に、１：１から１：１０、特に、１：４までの容積比を持たせることが好ましい。
【発明を実施するための最良の形態】
【００１５】
以下、図面を参照して、実施の形態により本発明をより詳しく説明する。
【００１６】
図１から４は、図面の一番下に示された、参照番号１０により表された本発明によるマルチ・パックの主要製造工程を上から下に示している。
【００１７】
図１は、基本的に任意の自由に選択した形状（例えば、レイアウトで、円形、多角形または正方形）であって差し支えなく、この場合には、第一の容器２ａを持つ、底部でやや円錐のようにテーパーしている円形のボールの形状にある第一のパック部材２を示している。充填、操作、移送、処理および／または他のプロセスであって差し支えない（第一の）プロセス１において、ボール２に製品、例えば、（動物用）食品を充填し、任意の都合のよいとき、例えば、このプロセスの終わりまたは特定の処理工程前に、このボールを第一の密封フイルム４で密封する。例えば、中に製品を収容しているボール２に殺菌または保存プロセスを行っても差し支えなく、その最中に、製品は、約３０から６０分間に亘り１２０から１３０℃の殺菌温度にさらされる。
【００１８】
あるいは、プロセス１は、特定の処理を行わずに、所望の製品の充填に関して、ボールの操作または移送の特定の工程のみからなっていても差し支えない。ボールは、例えば、殺菌または無菌条件下で製品が充填され、その後、密封されるであろう。必須の特徴は、ボール２およびその中に入れるべき製品を操作でき、必要に応じて、一つ以上の他のパック部材および製品とは関係なく処理または加工できることである。
【００１９】
図２は、製品を収容するための第二の容器６ａを持つ第二のパック部材６を示しており、ここでも、第二のパック部材６は、基本的に任意の自由に選択した形状のものであって差し支えなく、この実施例においては、第一のパック部材２のための収容開口部５を持つ正方形のボールとして設計されている。第二のパック部材６は、（第二の）プロセス２を経るものであり、製品、例えば、（動物用）食品が充填され、第二の密封フイルム８により密封され、プロセス１と同様に、プロセス２の終わりに、充填され、必要に応じて処理され、密封されたパック部材６が得られる。同様にプロセス２の場合、任意の所望の操作、充填、処理および／または他の工程を行っても差し支えなく、パック部材６の密封は、そのプロセスの任意の都合よい時点で行われる。プロセス２は、例えば、殺菌または保存プロセスからなっていてもそれらを含んでいても差し支えなく、もしくは調理プロセスであるかもしれない。ここでも、必須の特徴は、プロセス２はプロセス１とは関係なく行われる、すなわち、パック部材６を、パック部材２とは関係なく、操作したり、充填したり、処理などしたりして差し支えないこと、およびそれらの二つのプロセスが少なくとも一つのプロセスパラメータにおいて互いに異なっていることである。これは、異なるプロセス工程であっても、異なる物理的パラメータ（温度、圧力、期間等）であってもよい。密封フイルム４，８は、出来る限り、様々な処理プロセス中に遭遇する条件下でさえ拡散に対して気密である材料（金属化プラスチック、金属フイルム等）から製造されている。開封タブ４ａ，８ａにより、後にフイルムを剥がすのが容易になる。
【００２０】
図３は、二つのプロセスが完了した後に二つのパック部材２および６がどのように組み立てられ、どのようにユニットに一緒に接合され、したがって、ユニットとして取り扱える（輸送、貯蔵、販売等）一つのマルチ・パックが形成されるかを示している。この実施例のように、第一のパック部材２を、第二のパック部材６の対応する収容開口部５中に挿入する（矢印７）ことが都合よい。これら二つのパック部材は、例えば、圧入、係合、溶着、接着、封止等により、互いに固定される。
【００２１】
図４が示すように、この実施例は、二つのパック部材を覆う密閉フイルム９が施されているさらに別の工程を含んでおり、このフイルムは、この実施例においては、矩形または正方形であり、第二のパック部材の縁に封止されている。開封時の取扱いを改善するために、さらに、密閉フイルム９を、それぞれ密封フイルム４および８の一方または両方の端にしっかりと封止しても差し支えなく、したがって、密閉フイルム９を開封したときに（開封タブ９ａ）、二つのパック部材またはボール２，６を同時に開封することができる。開封後にボール２の内容物をボール６に入れるときに、例えば、二つの内容物を一緒に混合するために、ある実施の形態においては、ボール２を取り外すことにより、この操作を行うことができる。他方で、ボール６の上に収容開口部５の周りの領域（ボール２を含む）を折り曲げることを容易にするために、この領域にノッチ、ミシン目すなわち曲げやすい線を提供することも可能である。
【００２２】
原則として、マルチ・パックの個々のパック部材をプロセス１および２の最中または終わりに密封する。あるいは、パック部材を密封されていない状態で組み立て、組立て後に、一つ以上のフイルムで密封しても差し支えない。この場合、フイルム９が、個々のフイルム４，８の一方または必要に応じて両方を置き換えるであろう。
【００２３】
本発明の方法の決定的な利点は、マルチ・パックの二つ以上の製品成分を異なる操作、処理または製造プロセスに施すことができ、ここで、これらの成分は、異なるプロセスパラメータにさらされ、最終的に一つのマルチ・パックに組み立てられる前に、互いに別々に操作できることにある。
【図面の簡単な説明】
【００２４】
【図１】一つのプロセスを示す斜視図
【図２】別のプロセスを示す斜視図
【図３】マルチ・パックの組立てを示す斜視図
【図４】密閉フイルムの取付けを示す斜視図
【符号の説明】
【００２５】
２、６    ボール
４，８    密封フイルム
４ａ、８ａ、９ａ    開封タブ
５    収容開口部
９    密閉フイルム
１０    マルチ・パック
【図１】
2005515944.tif 000003
【図２】
2005515944.tif 000004
【図３】
2005515944.tif 000005
【図４】
2005515944.tif 000006
【国際調査報告】
2005515944.tif 000007
2005515944.tif 000008
2005515944.tif 000009